(57)【要約】【要  約】【課  題】    天井埋込型空気調和装置において、昇降グリルの上昇の際に、昇降グリルに風が当たったり、また、人や物が接触して、昇降グリルが揺れ動いても、昇降グリルを確実に所定位置に収納させる。【解決手段】  天井埋込型空気調和装置は、室内機本体（１）の下方にグリル枠（２１）が設けられ、このグリル枠は空気吸込口（２２）および空気吹出口（２３）を具備し、昇降装置（３６）が吊りひも（３２，３３，３４）を巻取り・繰り出しすることにより、昇降グリル（３１）が上下動し、上昇時には昇降グリルがグリル枠の空気吸込口に位置している。そして、昇降グリルの上面には、突出部（３１ａ）が設けられ、グリル枠には、前記突出部が嵌まる嵌合部（２１ａ）が設けられており、昇降グリルの最上昇時には、突出部が嵌合部に嵌まる。【選択図】  図２
2005156083.tif 000002
【特許請求の範囲】
【請求項１】
室内機本体の下方にグリル枠が設けられ、このグリル枠は空気吸込口および空気吹出口を具備し、昇降装置が吊りひもを巻取り・繰り出しすることにより、昇降グリルが上下動し、上昇時には昇降グリルがグリル枠の空気吸込口に位置している天井埋込型空気調和装置において、
前記昇降グリルの上面には、突出部または突出部が嵌まる嵌合部の一方が設けられ、
前記グリル枠には、前記突出部または嵌合部の他方が設けられており、
前記昇降グリルの最上昇時には、前記突出部が前記嵌合部に嵌まることを特徴としている天井埋込型空気調和装置。
【請求項２】
前記昇降装置により巻取り・繰り出しされる吊りひもの本数が３本であり、昇降装置からの吊りひもが昇降グリルの前側の左右および後側の中央部に取り付けられていることを特徴としている請求項１記載の天井埋込型空気調和装置。
【請求項３】
前記グリル枠の空気吸込口と空気吹出口との間に桟が設けられ、
この桟の下方に吊りひも通路空間を形成すべく、前記桟の下側に覆い材が設けられ、
前記昇降装置からの吊りひもが、前記吊りひも通路空間を通って昇降グリルに取り付けられていることを特徴としている請求項１または２記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、フィルターを掃除したり交換するために、昇降装置で吊りひもを巻取り・繰り出しすることにより昇降グリルを上下動可能にしているものがある。そして、昇降装置と昇降グリルとの間の吊りひもは、たとえば特許文献１に記載されているように、従来４本設けられ、昇降装置が昇降グリルを引き上げると、昇降グリルはグリル枠の所定の位置に収納される。しかしながら、吊りひもで昇降グリルを吊り下げた状態で、昇降グリルに風が当たったり、また、人や物が接触すると、昇降グリルが揺れ動き、昇降グリルを引き上げた際に、グリル枠の所定の位置に収納されないおそれがある。
【特許文献１】特開平１０−１２２５９２号公報
【発明の開示】
【発明が解決しようとする課題】
【０００３】
解決しようとする問題点は、昇降グリルを引き上げた際に、昇降グリルがグリル枠の所定の位置に収納されないおそれがある点である。
【課題を解決するための手段】
【０００４】
本発明の天井埋込型空気調和装置は、室内機本体（１）の下方にグリル枠（２１）が設けられ、このグリル枠は空気吸込口（２２）および空気吹出口（２３）を具備し、昇降装置（３６）が吊りひも（３２，３３，３４）を巻取り・繰り出しすることにより、昇降グリル（３１）が上下動し、上昇時には昇降グリルがグリル枠の空気吸込口に位置している。そして、前記昇降グリルの上面には、突出部（３１ａ）または突出部が嵌まる嵌合部（２１ａ）の一方が設けられ、前記グリル枠には、前記突出部または嵌合部の他方が設けられており、前記昇降グリルの最上昇時には、前記突出部が前記嵌合部に嵌まる。
【０００５】
また、前記昇降装置により巻取り・繰り出しされる吊りひもの本数が３本であり、昇降装置からの吊りひもが昇降グリルの前側の左右および後側の中央部に取り付けられていることがある。
【０００６】
さらに、前記グリル枠の空気吸込口と空気吹出口との間に桟（２４）が設けられ、この桟の下方に吊りひも通路空間（４６，４７）を形成すべく、前記桟の下側に覆い材（５１，５２）が設けられ、前記昇降装置からの吊りひもが、前記吊りひも通路空間を通って昇降グリルに取り付けられていることがある。
【発明の効果】
【０００７】
本発明によれば、昇降グリルの上面には、突出部または突出部が嵌まる嵌合部の一方が設けられ、かつ、グリル枠には、前記突出部または嵌合部の他方が設けられているので、昇降グリルの上昇の際に、昇降グリルに風が当たったり、また、人や物が接触して、昇降グリルが揺れ動いても、昇降グリルが最上昇位置の付近で、昇降グリルが揺れ動きながら、突出部が嵌合部に嵌まり、この突出部と嵌合部との嵌合に誘導されながら、昇降グリルは上昇する。その結果、昇降グリルは、確実に所定位置に収納される。
【０００８】
また、この様に、昇降グリルが揺れ動いてもより確実に収納することができるため、吊りひもの本数を従来の４本よりも少ない３本にすることができる。その結果、吊りひもの取付作業やコストを削減することができる。しかも、昇降装置からの吊りひもが昇降グリルの前側の左右および後側の中央部に取り付けられているので、吊りひもがフィルターの掃除や交換の作業の妨げになることを極力防止することができる。
【０００９】
そして、グリル枠の桟の下方の吊りひも通路空間に、吊りひもが配線されている場合には、吊りひもが、桟の上方に配線されているリード線などと干渉することを極力防止することができる。その結果、吊りひもが円滑に作動し、従来より少ない３本の吊りひもでも、突出部と嵌合部との嵌合と相まって、昇降グリルを確実に所定位置に収納することができる。
【発明を実施するための最良の形態】
【００１０】
天井埋込型空気調和装置において、昇降グリルを引き上げた際に、昇降グリルをグリル枠の所定の位置に確実に収納するという目的を、昇降グリルの上面に、突出部または突出部が嵌まる嵌合部の一方を設け、かつ、グリル枠に前記突出部または嵌合部の他方を設けることで実現した。
【実施例１】
【００１１】
次に、本発明における天井埋込型空気調和装置の一実施例について、図１ないし図９を用いて説明する。図１は本発明における天井埋込型空気調和装置の実施例の斜視図である。図２はグリル枠、フィルターおよび昇降グリルの分解斜視図である。図３は覆い材を外した状態でのグリル枠の概略の説明図である。図４は覆い材を取り付けた状態で引っ繰り返したグリル枠の概略の斜視図である。図５はグリル枠の平面図である。図６は覆い材を外した状態で引っ繰り返したグリル枠の平面図である。図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。図８はグリル枠の要部平面図である。図９は表示基板およびリミットスイッチの説明図で、（ａ）は表示基板付近における図８の A-A断面図、（ｂ）は図８の B-B断面図である。なお、図１において、昇降グリルはグリル枠に取り付けられた状態と、下降した状態の両方の状態で図示されている。図３において、グリル枠は引っ繰り返した状態で図示され、覆い材および昇降グリルは斜め上方から見た斜視図で図示されている。図５は空気吹出口の上部構造が切断された状態で図示されている。図６は、吊りひも、その案内具および案内ローラが取り付けられた状態で図示されている。図８において、各リード線は複数本を組み合わせて構成されているが、分かりやすいように、１本で図示されている。そして、この明細書の記載において、天井埋込型空気調和装置の長手方向を左右方向とし、２本の吊りひもや表示基板が配置されている側が前側としている。
【００１２】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【００１３】
また、アンカーボルト９が天井内の構造体（図示しない）に取り付けられており、このアンカーボルト９の下端部に室内機本体１の固定フランジ３を固定することにより、室内機本体１は天井内に設置される。
【００１４】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口および吹出口が形成されている。
【００１５】
天井板６の開口部７および室内機本体１の下方は、グリル枠２１で覆われている。このグリル枠２１は、室内機本体１の吸込口および吹出口に対応する位置に、空気吸込口２２および空気吹出口２３を具備している。すなわち、空気吸込口２２がグリル枠２１の中央部に設けられ、この空気吸込口２２を挟んで前後に空気吹出口２３が一対に設けられている。この空気吹出口２３は左右方向に長く設けられている。そして、空気吸込口２２と空気吹出口２３との間には、グリル枠２１の桟２４が設けられ、空気吸込口２２と空気吹出口２３とを仕切っている。また、グリル枠２１は室内機本体１に取り付けられている。
【００１６】
グリル枠２１の空気吸込口２２には、略矩形の昇降グリル３１が配設されている。この昇降グリル３１の各短辺に沿って突出部としてリブ３１ａが上方に突出している。このリブ３１ａは、昇降グリル３１の短辺の長さよりも短く形成されている。そして、グリル枠２１には、昇降グリル３１のリブ３１ａが嵌まる嵌合部としてスリット状の溝２１ａが形成されている。また、昇降グリル３１には、前側の左右および後側の中央部に吊りひも３２，３３，３４が各々取り付けられている。計３本の吊りひも３２，３３，３４の上端は、グリル枠２１の上に設けられている昇降装置３６の巻取りドラム（図示しない）に各々取り付けられている。昇降装置３６の外郭を構成するケースは略直方体の箱形状をしており、そのケースの内側に複数の巻取りドラムや、この巻取りドラムを回転駆動するモータ（図示しない）などが設けられている。巻取りドラムは吊りひも３２，３３，３４毎に設けられている。昇降装置３６はグリル枠２１の上面にネジ止めで取り付けられ、空気吸込口２２の右側（すなわち、横側）で、かつ、前後の空気吹出口２３の延長線の間に配置されている。この昇降装置３６のネジ止め位置は図６において符号８１で示されている。そして、昇降装置３６が稼働して、吊りひも３２，３３，３４を巻取り・繰り出しすると、昇降グリル３１は上下方向に移動する。この昇降グリル３１にフィルター４１が着脱可能に取り付けられており、フィルター４１を着脱する際には、昇降グリル３１を下降させる。そして、昇降グリル３１の最下降時には、前側に行くほど下側となるように約４５°の傾きで停止する。また、空気調和の際には、昇降グリル３１を上昇させて空気吸込口２２に位置させる。そして、グリル枠２１の空気吸込口２２から吸い込まれた空気は、室内機本体１の熱交換器で冷却または加熱されて、グリル枠２１の前後の空気吹出口２３から吹き出される。
【００１７】
ところで、昇降グリル３１は吊りひも３２，３３，３４で吊り下げられており、上昇の際に昇降グリル３１に風が当たったり、また、人や物が接触すると、昇降グリル３１が揺れ動くことがある。しかしながら、昇降グリル３１が最上昇位置（すなわち、グリル枠２１の空気吸込口２２）の付近で、昇降グリル３１が揺れ動きながら、そのリブ３１ａがグリル枠２１の溝２１ａに嵌まり、このリブ３１ａと溝２１ａの嵌合に誘導されながら、昇降グリル３１は上昇し、確実に所定位置（すなわち、グリル枠２１の空気吸込口２２）に収納される。
【００１８】
次に、吊りひも３２，３３，３４の配線を説明する。前述のように、昇降装置３６はグリル枠２１上に設置されている。このグリル枠２１には、吊りひも３２，３３，３４用の貫通孔４２，４３，４４が形成されている。また、グリル枠２１の桟２４の下方に吊りひも３２，３４が通る吊りひも通路空間４６，４７〔図４および図９（ａ）参照〕を形成すべく、桟２４の下側に覆い材５１，５２が取り付けられている。この覆い材５１，５２は、上面が開口した細長い箱形状をしており、細長い長方形の底板およびこの底板の周辺（すなわち、４辺）から立ち上がる側板とを有している。
【００１９】
さらに、図６に図示するように、グリル枠２１の左側には、前側の桟２４の横側付近に、案内具５３および案内ローラ５４がグリル枠２１の下面に取り付けられて設けられている。この案内具５３および案内ローラ５４は、第１吊りひも３２を案内する案内部を構成している。案内具５３は、図７（ａ）に図示するように、第１吊りひも３２の通る開口５３ａを有しており、貫通孔４２からの第１吊りひも３２がこの開口５３ａを通ることにより、左右方向に延在してきた第１吊りひも３２の方向を案内ローラ５４側に導いている。案内ローラ５４は、案内具５３から略水平に延在してきた第１吊りひも３２を下向きに方向転換させている。
【００２０】
また、後側の桟２４の中央部の縁付近に、第３吊りひも用案内部である案内具５５がグリル枠２１の下面に取り付けられて設けられている。案内具５５は、案内具５３と同様な構造をしており、第３吊りひも３４の通る開口を有しており、貫通孔４４からの第３吊りひも３４がこの案内具５５の開口を通ることにより、左右方向に延在してきた第３吊りひも３４を、前側（すなわち、空気吸込口２２側）に導くとともに、下側に方向転換させている。
【００２１】
グリル枠２１はこの様に構成されており、昇降装置３６からの第１吊りひも３２は、グリル枠２１の第１貫通孔４２を通って、前側の吊りひも通路空間４６に導入され、吊りひも通路空間４６を右側から左側へ通り、吊りひも通路空間４６の左端部で、案内具５３を介して、覆い材５１とグリル枠２１との間に形成された吊りひも導出開口から覆い材５１の外側に導き出され、案内ローラ５４で下向きに方向転換されて、昇降グリル３１の左前側に取り付けられている。昇降装置３６からの第２吊りひも３３は、グリル枠２１の第２貫通孔４３を通って、グリル枠２１の下方に導かれ、昇降グリル３１の右前側に取り付けられている。昇降装置３６からの第３吊りひも３４は、グリル枠２１の第３貫通孔４４を通って、後側の吊りひも通路空間４７に導入され、吊りひも通路空間４７を右側から左側へ通り、吊りひも通路空間４７の中央部付近で、案内具５５を介して、覆い材５２とグリル枠２１との間に形成された吊りひも導出開口から覆い材５２の外側に導き出されて、昇降グリル３１の後側の中央部に取り付けられている。
【００２２】
上述のように、各吊りひも３２，３３，３４の先端部は、昇降グリル３１の上面に取り付けられているが、その取付構造は図７（ｃ）〜（ｅ）に図示されている。吊りひも３２，３３，３４の先端部を、金属製のスリーブ３７に通してカシメて一体化し、このスリーブ３７を固定部である押さえ部材３８で昇降グリル３１に押しつけて固定している。押さえ部材３８よりも内側には、フィルター４１が存在している。
【００２３】
また、前側の覆い材５１の一部には、表示用の透明板５６が設けられ、この透明板５６の上方に、空気調和装置の状況（運転のＯＮ−ＯＦＦ、タイマーのＯＮ−ＯＦＦ、警報ランプなど）を表示するための表示基板５７が配置されている。この表示基板５７はリモコンの受信部を具備している。そして、表示基板５７からのリード線５８は、グリル枠２１の本体に形成されたリード線用貫通孔としての長穴５９を通って、吊りひも通路空間４６からグリル枠２１の上方に導き出されている。この長穴５９の周辺（すなわち、後側の縁部）にグリル枠２１の本体の下面から下方に突出する縦リブ６１が設けられており、この縦リブ６１の前側に表示基板５７からのリード線５８が配線され、一方、縦リブ６１の後側に第１吊りひも３２が配線される。
【００２４】
さらに、グリル枠２１の前側の桟２４には、リミットスイッチ用の固定部６７が張り出している。この固定部６７にリミットスイッチ固定具６８を介してリミットスイッチ６６が取り付けられる。リミットスイッチ固定具６８は、固定部６７にビス止めなどで取り付けられる水平部６９と、この水平部６９から垂下する垂直部７１とを有しており、この垂下する垂直部７１にリミットスイッチ６６がビスなどで取り付けられている。昇降グリル３１が上昇して所定位置に収容されると、昇降グリル３１の上面がリミットスイッチ６６の検知レバー７２の先端に当接して上昇させ、リミットスイッチ６６から昇降グリル検出信号が出力する。
【００２５】
そして、リミットスイッチ６６からのリード線７３は、水平部６９に設けられた切欠き７４を通って、桟２４の上方に配線される。そして、このリード線７３は、表示基板５７からのリード線５８に合流して、桟２４に設けられたリード線固定爪７６で固定される。合流したリード線５８，７３は、前後の空気吹出口２３のルーバを駆動するモータのためのルーバ駆動用のリード線７５，７５とともに結束具７７で結束、固定されている。上記リード線固定爪７６は、この結束具７７による結束位置と長穴５９との間の位置に配置されている。結束具７７で結束されたリード線５８，７３，７５，７５は、昇降装置３６の駆動モータ用のリード線（図示しない）とともに、室内機本体１の電装箱内の基板（図示しない）に接続されている。
【００２６】
前述の様に、上記実施例においては、昇降グリル３１にリブ３１ａが設けられ、このリブ３１ａが嵌まる溝２１ａがグリル枠２１に設けられている。したがって、昇降グリル３１の上昇の際に昇降グリル３１に風が当たったり、また、人や物が接触して、昇降グリル３１が揺れ動いても、昇降グリル３１が最上昇位置（すなわち、グリル枠２１の空気吸込口２２）の付近で、昇降グリル３１が揺れ動きながら、そのリブ３１ａがグリル枠２１の溝２１ａに嵌まり、このリブ３１ａと溝２１ａの嵌合に誘導されながら、昇降グリル３１は上昇する。その結果、昇降グリル３１は、確実に所定位置（すなわち、グリル枠２１の空気吸込口２２）に収納される。
【００２７】
また、この様に、昇降グリル３１が揺れ動いてもより確実に収納することができるため、吊りひもの本数を従来の４本よりも少ない３本にすることができる。その結果、吊りひもの取付作業やコストを削減することができる。
【００２８】
しかも、グリル枠２１の桟２４の下方の吊りひも通路空間４６，４７に、吊りひも３２，３４が配線されているため、吊りひも３２，３４が桟２４の上方に配線されているリード線７３などと干渉することを極力防止することができる。
【００２９】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００３０】
（１）上記実施例では、突出部は昇降グリル側に設けられ、また、嵌合部はグリル枠側に設けられているが、突出部をグリル枠側に設けるとともに、嵌合部を昇降グリル側に設けることも可能である。
（２）上記実施例では、突出部はリブで、また、嵌合部は溝で構成されているが、突出部が嵌合部に嵌まることができるならば、その構造は適宜変更可能である。たとえば、嵌合部をグリル枠に形成された細長い開口にすることも可能である。
（３）昇降装置は、吊りひもを巻き上げ・繰り出しができるならば、その構造、配置位置や形式は適宜変更可能である。
（４）室内機本体１を天井内の構造体に支持させるための固定手段は適宜変更可能である。
【００３１】
（５）覆い材５１，５２は、グリル枠２１の桟２４の下面との間に吊りひも通路空間４６，４７を形成することができるならば、その形状、構造や材質などは適宜変更可能である。覆い材はグリル枠の本体と別体に形成されているが、一体に形成することも可能である。その場合には、桟がグリル枠の本体と別体に形成される。
（６）吊りひもの本数は必ずしも３本に限定されず、適宜変更可能である。ただし、３本であることが好ましい。
（７）空気吹出口の個数や配置などは適宜変更可能である。
【産業上の利用可能性】
【００３２】
昇降装置が吊りひもを巻取り・繰り出しすることにより、昇降グリルが上昇・下降する天井埋込型空気調和装置に適用することができる。
【図面の簡単な説明】
【００３３】
【図１】図１は本発明における天井埋込型空気調和装置の実施例の斜視図である。
【図２】図２はグリル枠、フィルターおよび昇降グリルの分解斜視図である。
【図３】図３は覆い材を外した状態でのグリル枠の概略の説明図である。
【図４】図４は覆い材を取り付けた状態で引っ繰り返したグリル枠の概略の斜視図である。
【図５】図５はグリル枠の平面図である。
【図６】図６は覆い材を外した状態で引っ繰り返したグリル枠の平面図である。
【図７】図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。
【図８】図８はグリル枠の要部平面図である。
【図９】図９は表示基板およびリミットスイッチの説明図で、（ａ）は表示基板付近における図８の A-A断面図、（ｂ）は図８の B-B断面図である。
【符号の説明】
【００３４】
１  室内機本体
２１  グリル枠
２１ａ  溝（嵌合部）
２２  空気吸込口
２３  空気吹出口
２４  桟
３１  昇降グリル
３１ａ  リブ（突出部）
３２〜３４  吊りひも
３６  昇降装置
４６  吊りひも通路空間
４７  吊りひも通路空間
５１  覆い材
５２  覆い材
【図１】
2005156083.tif 000003
【図２】
2005156083.tif 000004
【図３】
2005156083.tif 000005
【図４】
2005156083.tif 000006
【図５】
2005156083.tif 000007
【図６】
2005156083.tif 000008
【図７】
2005156083.tif 000009
【図８】
2005156083.tif 000010
【図９】
2005156083.tif 000011